(57)【特許請求の範囲】
【請求項１】
建築物の構造床、構造壁、構造天井で囲まれた設置空間の内部に、少なくともシャワー設備を備えた第１室と、前記第１室に隣接配置された第２室と、を有する衛生ユニット構造体であって、
前記第１室は、第１室空間を形成するユニット化された構成を有し、
前記第２室は、前記設置空間において前記第１室が設置される領域以外の空間に対応する形状を持ち、前記構造床の上に所定空間を有して支持された床パネルと、前記床パネルの周縁部分における所定位置に立設されて側壁を構成する複数の第２室側壁パネルと、前記第２室側壁パネルに連結されて天井壁を構成する第２室天井壁パネルとにより第２室空間を形成する構成を有し、
前記第２室の側壁が前記複数の第２室側壁パネルで構成され、前記第２室の天井壁が複数の前記第２室天井壁パネルで構成されており、
隣接する前記第２室側壁パネル同士の連結部分と、隣接する前記第２室天井壁パネル同士の連結部分とが繋がるように、前記複数の第２室側壁パネルと前記複数の第２室天井壁パネルとが連結されている、衛生ユニット構造体。
【請求項２】
前記第２室側壁パネルは、前記床パネルにおいて、前記第１室への出入り口の形成位置、および前記第１室と前記第２室とを備えた衛生ユニット構造体への出入り口の形成位置を除いた領域の周縁部分に立設されて側壁を構成する、請求項１に記載の衛生ユニット構造体。
【請求項３】
前記第１室は、前記構造床の上に支持される防水パンと、前記防水パンに立設された第１室側壁パネルと、前記第１室側壁パネルに連結された第１室天井壁パネルとにより第１室空間を形成するユニット化された構成を有する、請求項１または２に記載の衛生ユニット構造体。
【請求項４】
前記第１室の前記防水パンおよび前記第２室の前記床パネルは、前記構造床により複数の支持脚を介して所定空間を有して所定レベルに維持されるよう構成された、請求項３に記載の衛生ユニット構造体。
【請求項５】
前記第２室側壁パネルは、前記床パネルに対してパネル固定部材により立設されるよう構成された、請求項１または２に記載の衛生ユニット構造体。
【請求項６】
前記パネル固定部材は、前記床パネルにおいて、前記第１室への出入り口の形成位置、および前記第１室と前記第２室とを備えた衛生ユニット構造体への出入り口の形成位置を除いた周縁部分に固定された壁下幅木と、前記第２室側壁パネルを前記壁下幅木に係止する第２室パネル係止部材と、を含む、請求項５に記載の衛生ユニット構造体。
【請求項７】
前記第２室側壁パネルの下端部分が前記パネル固定部材に接触して保持されるよう構成された、請求項５または６に記載の衛生ユニット構造体。
【請求項８】
前記第２室パネル係止部材は、前記壁下幅木の上面に一体的に形成されたレールに上方から載せて挟むように固定された、請求項６に記載の衛生ユニット構造体。
【請求項９】
前記壁下幅木は、コーナー部材によって接合され、
前記コーナー部材は、隣接する前記壁下幅木が配置される方向に突出する挿入接合部が形成された、請求項６または８に記載の衛生ユニット構造体。
【請求項１０】
前記第１室側壁パネルは、前記防水パンに対して第１室パネル係止部材により立設されるよう構成された、請求項３に記載の衛生ユニット構造体。
【請求項１１】
前記第１室側壁パネルの下端部分は、前記第２室側壁パネルの下端部分と同様の構成を有し、前記防水パンと前記第１室パネル係止部材とに接触して保持されるよう構成された、請求項１０に記載の衛生ユニット構造体。
【請求項１２】
前記床パネルは、切断可能な床材で形成された、請求項１から１１いずれか一項に記載の衛生ユニット構造体。
【請求項１３】
前記構造床と前記床パネルとの間の所定空間に、前記第１室からの配管設備が施設されるよう構成された、請求項１から１２のいずれか一項に記載の衛生ユニット構造体。
【請求項１４】
前記第１室天井壁パネルおよび前記第２室天井壁パネルには点検用の開口を備える請求項３に記載の衛生ユニット構造体。
【請求項１５】
前記第１室天井壁パネルおよび前記第２室天井壁パネルにおいて、前記点検用の開口が、前記第１室と前記第２室との間の出入り口を挟んだ両側位置に設けられた、請求項１４に記載の衛生ユニット構造体。
【請求項１６】
隣接する前記第２室側壁パネルの連結部分にジョイント部が設けられ、
前記ジョイント部に前記第２室の内部の荷重部材を取り付けるよう構成された、請求項１から１５のいずれか一項に記載の衛生ユニット構造体。
【請求項１７】
建築物の構造床、構造壁、構造天井で囲まれた設置空間の内部に、少なくともシャワー設備を備えた第１室と、前記第１室に隣接配置された第２室と、を有する衛生ユニット構造体の施工方法であって、
前記第１室の防水パンを前記構造床に対して所定空間を有して設置した後に前記第２室の床パネルを前記構造床に対して所定空間を有して設置する工程と、
前記防水パンに第１室側壁パネルを立設する工程と、
前記床パネルの周縁部分における所定位置に複数の第２室側壁パネルを立設する工程と、
前記立設された第１室側壁パネルに第１室天井壁パネルを連結して、前記防水パンと前記第１室側壁パネルと前記第１室天井壁パネルとにより第１室空間を形成する工程と、
前記立設された複数の第２室側壁パネルに複数の第２室天井壁パネルを連結して、前記床パネルと前記複数の第２室側壁パネルと前記複数の第２室天井壁パネルとにより第２室空間を形成する工程と、を含み、
前記第２室空間を形成する工程において、隣接する前記第２室側壁パネル同士の連結部分と、隣接する前記天井壁パネル同士の連結部分とが繋がるように、前記複数の第２室側壁パネルと前記複数の第２室天井壁パネルとを連結する、衛生ユニット構造体の施工方法。
【請求項１８】
前記第２室の床面が前記第１室の床面のレベルより高くなるよう、少なくとも前記第１室の床面の施工後に前記第２室の床パネルを施工する、衛生ユニット構造体の請求項１７に記載の衛生ユニット構造体の施工方法。
【請求項１９】
前記第２室の床パネルは、前記設置空間において前記第１室が設置される領域以外の領域に対応する形状を有し、前記構造床の上に所定空間を有して支持されて床面が構成されるよう施工され、
前記第２室の側壁となる前記複数の第２室側壁パネルは、前記床パネルにおいて、前記第１室への出入り口の形成位置、および前記第１室と前記第２室とを備えた衛生ユニット構造体への出入り口の形成位置を除いた領域の周縁部分に立設され、
前記第２室の天井壁となる前記第２室天井壁パネルは、前記第２室側壁パネルに連結される、請求項１７または１８に記載の衛生ユニット構造体の施工方法。
【発明の詳細な説明】
【技術分野】
【０００１】
本発明は、建築物である住宅などに設けられる少なくともシャワー室および洗面室などを備える衛生ユニット構造体およびその施工方法に関する。
【背景技術】
【０００２】
住宅などにおいてはシャワー室がユニット化されて用いられている。このようにユニット化されたシャワー室は住宅を設計する上で、また住宅を施工する上で非常に便利であり、所定の品質を確保したシャワー室を確実に設置することができるという点で有利である。このため、ユニット化されたシャワー室が住宅などの建築物においては広く一般的に用いられている。なお、本発明においてシャワー室とは、シャワー設備のみを備えた構成の他に、浴槽および水栓などを備えた浴室の構成や、便器などの衛生器具などを備えた構成を含むものとする。即ち、本発明におけるシャワー室としては、少なくともシャワー設備を備えた構成の室であり、その他の付帯設備を備えた構成を含むものである。
【先行技術文献】
【特許文献】
【０００３】
【特許文献１】特開平１０−６０９６５号公報
【発明の概要】
【発明が解決しようとする課題】
【０００４】
住宅設備としてシャワー室が設置された場合には、シャワー室に隣接して洗面室が配置される。洗面室には鏡などを備えた洗面台が設けられ、更衣室としての機能も有する。本発明において洗面室としては、洗面台のみを備えた構成の他に、便器などの衛生器具などを備えた構成、および更衣室としての機能を有する構成を含むものとする。即ち、本発明における洗面室としては、シャワー室に隣接配置されて使用される各種設備を備える室を含む他に、設備が設けられていない単なる空間のみの室を含むものとする。【０００５】
上記のようにユニット化されたシャワー室は、その寸法が工場出荷の段階では決められており、一定の寸法を有して規格化されている。このようなシャワー室を住宅に設置して、シャワー室に隣接した空間に施工業者が洗面室を最初から作り上げるのが一般的である。【０００６】
特許文献１には、シャワー室と共に洗面室を接続して一体的に構成し、全体がユニット化された住宅設備が提案されている。ユニット化された構成においては、デザイン、寸法が規格化されて作製されているため、施工業者としては設置が容易であり、施主としては一定レベルの品質が保証されるため、安心であるというメリットを有する。【０００７】
しかしながら、住宅設備としてユニット化された構成は、寸法が予め決められているため、住宅の設計者としては制約を受ける構成である。また、既に建てられている建築物である住宅においては構造床（スラブ）、構造壁、構造天井で囲まれた設置空間が一定ではないため、ユニット化された住宅設備とは対応しておらず、設置空間内にデッドスペースが生じるという問題を有していた。このような設置空間に対応させるためには、ユニット化されたシャワー室を設置した後、そのシャワー室に隣接する設置空間に合わせて洗面室を最初から作り上げるのが一般的であった。【０００８】
本発明は、シャワー室および洗面室などを備える衛生設備を建築物における形状の異なる設置空間に対応することが容易であり、信頼性の高い衛生ユニット構造体およびその施工方法の提供を目的とする。
【課題を解決するための手段】
【０００９】
本発明に係る一態様の衛生ユニット構造体は、
建築物の構造床、構造壁、構造天井で囲まれた設置空間の内部に、少なくともシャワー設備を備えた第１室と、前記第１室に隣接配置された第２室と、を有する衛生ユニット構造体であって、
前記第１室は、第１室空間を形成するユニット化された構成を有し、
前記第２室は、前記設置空間において前記第１室が設置される領域以外の空間に対応する形状を持ち、前記構造床の上に所定空間を有して支持された床パネルと、前記床パネルの周縁部分における所定位置に立設されて側壁を構成する複数の第２室側壁パネルと、前記第２室側壁パネルに連結されて天井壁を構成する第２室天井壁パネルとにより第２室空間を形成する構成を持っている。【００１０】
本発明に係る一態様の衛生ユニット構造体の施工方法は、
建築物の構造床、構造壁、構造天井で囲まれた設置空間の内部に、少なくともシャワー設備を備えた第１室と、前記第１室に隣接配置された第２室と、を有する衛生ユニット構造体の施工方法であって、
前記第１室の防水パンを前記構造床に対して所定空間を有して設置した後に前記第２室の床パネルを前記構造床に対して所定空間を有して設置する施工方法である。
【発明の効果】
【００１１】
本発明によれば、シャワー室および洗面室などを備える衛生設備を建築物における形状の異なる設置空間に対応して容易に設置することができ、信頼性の高い衛生ユニット構造体およびその施工方法を提供することができる。
【図面の簡単な説明】
【００１２】
【図１】本発明に係る実施の形態１の衛生ユニット構造体の内部を上から見た平面図
【図２】実施の形態１の衛生ユニット構造体の斜視図
【図３】実施の形態１の衛生ユニット構造体の底面の裏面図
【図４Ａ】実施の形態１の衛生ユニット構造体の施工方法を示す図
【図４Ｂ】実施の形態１の衛生ユニット構造体の施工方法を示す図
【図５】実施の形態１の衛生ユニット構造体において、シャワー室のシャワー側壁パネルを床パンに固定するためのシャワーパネル係止部材を示す図
【図６】実施の形態１の衛生ユニット構造体において、洗面室の洗面側壁パネルを床パネルに固定するための洗面パネル係止部材を示す図
【図７】実施の形態１の衛生ユニット構造体における凸部コーナー部材と凹部コーナー部材とを示す斜視図
【図８】実施の形態１の衛生ユニット構造体における凸部コーナー部材と凹部コーナー部材とに対して壁下幅木をそれぞれ接合して固定した状態を示す図
【図９】実施の形態１の衛生ユニット構造体における壁下幅木の断面図
【図１０】実施の形態１の衛生ユニット構造体において、シャワー室の床面と洗面室の床面とを繋ぐ室間接合部材を示す図
【発明を実施するための形態】
【００１３】
以下、本発明の衛生ユニット構造体およびその施工方法に係る実施の形態として、第１室であるシャワー室および第２室である洗面室を備えた衛生ユニット構造体について、添付の図面を参照しながら説明する。なお、本発明の衛生ユニット構造体は、以下の実施の形態において説明する衛生ユニット構造体の構成に限定されるものではなく、第１室であるシャワー室としては少なくともシャワー設備を備えた構成を有しており、シャワー設備のみを備えた構成の他に、浴槽や水栓設備などを備えた浴室の構成、便器などの衛生器具などを備えた構成を含むものである。また、第２室である洗面室としては、洗面台のみを備えた構成の他に、便器などの衛生器具などを備えた構成や、更衣室としての機能のみを有する構成や、これらを組み合わせた構成を含むものである。
【００１４】
また、以下の実施の形態において示す数値、形状、構成、ステップ（工程）、およびステップの順序などは、一例を示すものであり、本発明を限定するものではない。以下の実施の形態における構成要素のうち、最上位概念を示す独立請求項に記載されていない構成要素については、任意の構成要素として説明される。なお、図面は、理解しやすくするために、それぞれの構成要素を主体に模式的に示している。
【００１５】
先ず始めに、本発明の衛生ユニット構造体における各種態様を例示する。
本発明に係る第１の態様の衛生ユニット構造体は、
建築物の構造床、構造壁、構造天井で囲まれた設置空間の内部に、少なくともシャワー設備を備えた第１室と、前記第１室に隣接配置された第２室と、を有する衛生ユニット構造体であって、
前記第１室は、第１室空間を形成するユニット化された構成を有し、
前記第２室は、前記設置空間において前記第１室が設置される領域以外の空間に対応する形状を持ち、前記構造床の上に所定空間を有して支持された床パネルと、前記床パネルの周縁部分における所定位置に立設されて側壁を構成する複数の第２室側壁パネルと、前記第２室側壁パネルに連結されて天井壁を構成する第２室天井壁パネルとにより第２室空間を形成する構成を持っている。このように構成された第１の態様の衛生ユニット構造体は、第１室および第２室を備える衛生設備を建築物における形状の異なる設置空間に対応して容易に設置することができる。
【００１６】
本発明に係る第２の態様の衛生ユニット構造体は、前記の第１の態様における、前記第２室側壁パネルが、前記床パネルにおいて、前記第１室への出入り口の形成位置、および前記第１室と前記第２室とを備えた衛生ユニット構造体への出入り口の形成位置を除いた領域の周縁部分に立設されて側壁を構成してもよい。
【００１７】
本発明に係る第３の態様の衛生ユニット構造体は、前記の第１または第２の態様における前記第１室が、前記構造床の上に支持される防水パンと、前記防水パンに立設された第１室側壁パネルと、前記第１室側壁パネルに連結された第１室天井壁パネルとにより第１室空間を形成するユニット化された構成を有してもよい。
【００１８】
本発明に係る第４の態様の衛生ユニット構造体は、前記の第３の態様において、前記第１室の前記防水パンおよび前記第２室の前記床パネルが、前記構造床により複数の支持脚を介して所定空間を有して所定レベルに維持されるよう構成されてもよい。
【００１９】
本発明に係る第５の態様の衛生ユニット構造体は、前記の第１または第２の態様において、前記第２室側壁パネルが、前記床パネルに対してパネル固定部材により立設されるよう構成されてもよい。
【００２０】
本発明に係る第６の態様の衛生ユニット構造体は、前記の第５の態様において、前記パネル固定部材が、前記床パネルにおいて、前記第１室への出入り口の形成位置、および前記第１室と前記第２室とを備えた衛生ユニット構造体への出入り口の形成位置を除いた周縁部分に固定された壁下幅木と、前記第２室側壁パネルを前記壁下幅木に係止する第２室パネル係止部材と、を含むものでもよい。
【００２１】
本発明に係る第７の態様の衛生ユニット構造体は、前記の第５または第６の態様において、前記第２室側壁パネルの下端部分が前記パネル固定部材に接触して保持されるよう構成されてもよい。
【００２２】
本発明に係る第８の態様の衛生ユニット構造体は、前記の第３の態様において、前記第１室側壁パネルが、前記防水パンに対して第１室パネル係止部材により立設されるよう構成されてもよい。
【００２３】
本発明に係る第９の態様の衛生ユニット構造体は、前記の第８の態様において、前記第１室側壁パネルの下端部分が、前記第２室側壁パネルの下端部分と同様の構成を有し、前記防水パンと前記第１室パネル係止部材とに接触して保持されるよう構成されてもよい。
【００２４】
本発明に係る第１０の態様の衛生ユニット構造体は、前記の第１から第９の態様のいずれかの態様において、前記床パネルが、切断可能な床材で形成されてもよい。
【００２５】
本発明に係る第１１の態様の衛生ユニット構造体は、前記の第１から第１０の態様のいずれかの態様において、前記構造床と前記床パネルとの間の所定空間に、前記第１室からの配管設備が施設されるよう構成されてもよい。
【００２６】
本発明に係る第１２の態様の衛生ユニット構造体は、前記の第３の態様において、前記第１室天井壁パネルおよび前記第２室天井壁パネルには点検用の開口を備えてもよい。
【００２７】
本発明に係る第１３の態様の衛生ユニット構造体は、前記の第１２の態様における前記第１室天井壁パネルおよび前記第２室天井壁パネルにおいて、前記点検用の開口が、前記第１室と前記第２室との間の出入り口を挟んだ両側位置に設けられてもよい。
【００２８】
本発明に係る第１４の態様の衛生ユニット構造体は、前記の第１から第１３の態様のいずれかの態様において、前記第２室の側壁が複数の第２室側壁パネルで構成され、前記第２室の天井壁が複数の天井壁パネルで構成されており、隣接する前記第２室側壁パネルの連結部分と、隣接する前記天井壁パネルの連結部分が対応するよう構成されてもよい。
【００２９】
本発明に係る第１５の態様の衛生ユニット構造体は、前記の第１から第１４の態様のいずれかの態様において、隣接する前記第２室側壁パネルの連結部分にジョイント部が設けられ、前記ジョイント部に前記第２室の内部の荷重部材を取り付けるよう構成されてもよい。
【００３０】
本発明に係る第１６の態様の衛生ユニット構造体の施工方法は、建築物の構造床、構造壁、構造天井で囲まれた設置空間の内部に、少なくともシャワー設備を備えた第１室と、前記第１室に隣接配置された第２室と、を有する衛生ユニット構造体の施工方法であって、
前記第１室の防水パンを前記構造床に対して所定空間を有して設置した後に前記第２室の床パネルを前記構造床に対して所定空間を有して設置する。このような第１６の態様の衛生ユニット構造体の施工方法は、第１室および第２室を備える衛生設備を建築物における形状の異なる設置空間に対応して容易に施工することが可能である。
【００３１】
本発明に係る第１７の態様の衛生ユニット構造体の施工方法は、前記の第１６の態様において、前記第２室の床面が前記第１室の床面のレベルより高くなるよう、少なくとも前記シャワー室の床面の施工後に前記洗面室の床パネルを施工してもよい。
【００３２】
本発明に係る第１８の態様の衛生ユニット構造体の施工方法は、前記の第１６または第１７の態様において、前記第２室の床パネルが、前記設置空間において前記第１室が設置される領域以外の領域に対応する形状を有して、前記構造床の上に所定空間を有して支持されて床面が構成されるよう施工され、
前記第２室の側壁となる複数の第２室側壁パネルが、前記床パネルにおいて、前記第１室への出入り口の形成位置、および前記第１室と前記第２室とを備えた衛生ユニット構造体への出入り口の形成位置を除いた領域の周縁部分に立設され、
前記第２室の天井壁となる第２室天井壁パネルが、前記第２室側壁パネルに連結されてもよい。
【００３３】
（実施の形態１）
以下、本発明に係る実施の形態１の衛生ユニット構造体およびその施工方法について添付の図面を参照しつつ説明する。図１は、衛生ユニット構造体１を構成する第１室であるシャワー室２および第２室である洗面室３の内部を上から見た平面図であり、それぞれの天井壁（天井壁パネル）を取り除いた状態を示している。
【００３４】
シャワー室２には、シャワーヘッド４および水栓５が設けられており、ドア６の開閉によりシャワー室２に隣接して設けられた洗面室３との出入りが可能な構成である。洗面室３には、鏡が設けられた洗面台７および便器８が備えられている。実施の形態１の構成においては、便器８を備えた構成で説明するが、実施の形態１の構成としては、便器８を備えない構成としてもよい。また、洗面室３に便器８を備えずに、シャワー室２に便器８を備える構成としてもよい。
【００３５】
図１に示すように、実施の形態１の衛生ユニット構造体１は、シャワー室２に隣接して洗面室３が設けられた構造体であり、建築物である住宅における構造床（スラブ）、構造壁、構造天井で囲まれた設置空間に対応した寸法（外形形状）で構成されている。住宅の設置空間に設けられた衛生ユニット構造体１においては、入口開口１１を通して当該住宅における他の部屋との出入りが可能な構成となる。
【００３６】
シャワー室２および洗面室３のそれぞれの側面壁は、同様の構成を有する複数のパネルを組み立てることにより構成されている。シャワー室２の側壁が複数のシャワー側壁パネル（第１室側壁パネル）９で構成され、シャワー室２に隣接配置された洗面室３の側面壁が複数の洗面側壁パネル（第２室側壁パネル）１０で構成されている。実施の形態１における、シャワー側壁パネル９および洗面側壁パネル１０は同様の構成を有し、同様の立設構造を有している。
【００３７】
図２は、実施の形態１の衛生ユニット構造体１の斜視図である。図３は、実施の形態１の衛生ユニット構造体１の裏面図である。図２および図３に示すように、建築物である住宅の構造床（スラブ）の上に設置するために、衛生ユニット構造体１は複数の支持脚１８により支持され保持されている。
【００３８】
洗面室３の床面を形成する床パネル１６は、複数の支持脚１８により構造床（スラブ）に対して所定空間を有して支持されているため、二重床構造である。床パネル１６に支持脚１８が固定された構造であり、地震時の突き上げ、横揺れに対して強い耐震構造を有している。また支持脚１８には弾性体が設けられており、防振機能を有している。床パネル１６としては、容易に切断可能な材料で形成されており、例えば、板材に塩ビタイル、硬質タイル、天然石、化粧シートなどを張り合わせた各種の床材などが用いられる。
【００３９】
シャワー室２の床面は防水パン１７で構成されており、この防水パン１７が複数の支持脚１８により構造床（スラブ）に対して所定空間を有して支持されている。このようにシャワー室２の防水パン１７の直下には所定空間が形成されているため、この空間にはシャワーヘッド４および水栓５に対する給水用および給湯用の配管１９（図３参照）、および排水用の配管（図示省略）などが施設され、洗面室３の床パネル１６の直下の空間と共に有効に使用される。このように、シャワー室２の防水パン（床パン）１７および洗面室３の床パネル１６のそれぞれの直下の空間には、シャワー室２および洗面室３における各種配管設備が施設される。
【００４０】
［衛生ユニット構造体１の施工方法］
図４Ａおよび図４Ｂは、実施の形態１の衛生ユニット構造体１の施工方法を示す図である。図４Ａにおける（ａ）と（ｂ）、および図４Ｂにおける（ｃ）と（ｄ）と（ｅ）は、施工途中の状態を示した図であり、（ａ）→（ｂ）→（ｃ）→（ｄ）→（ｅ）の順に施工される。
【００４１】
図４Ａの（ａ）に示す状態は、複数の支持脚１８により支持されたシャワー室２を完成させ、洗面室３の床パネル１６が構造床（スラブ）の上に複数の支持脚１８により支持された二重床を作製した状態を示している。シャワー室２は、次に述べるように作製されて、シャワー室空間が完成される。
（１）防水パンである床パン１７を複数の支持脚１８を用いて支持する。
（２）支持脚１８により支持された床パン（防水パン）１７に対してシャワーパネル係止部材（第１室パネル係止部材）２１によりシャワー側壁パネル９を直接的に固定する。
（３）シャワー側壁パネル９が床パン（防水パン）１７に固定された後、シャワー側壁パネル９にドア枠２２を取り付けて、シャワー室２にドア６を設ける。
（４）シャワー室２のシャワー天井壁パネル（第１室天井壁パネル）１２が取り付けられて、シャワー室空間（第１室空間）を有するシャワー室２が完成する。
【００４２】
住宅の設置空間において、シャワー室２が設置された領域以外の設置空間に合わせて、洗面室３の床パネル１６が所望の寸法に切断される。切断された床パネル１６は、複数の支持脚１８により支持されて二重床が作製される。このとき、床パネル１６は、例えば、シャワー室２のドア６の位置に合わせて位置レベルが調整される。床パネル１６の位置レベルの調整は、シャワー室２の防水パンである床パン１７が所定レベルに調整された後に施工される。なお、洗面室３の床パネル１６の設置レベルは、シャワー室２の床面より高く設定されており、床パネル１６からシャワー室２の床面になだらかに下降する室間接合部材２７（図１０参照）が設けられる。
【００４３】
図４Ａの（ｂ）に示す状態は、床パネル１６が作製された後、床パネル１６の床面端部にパネル固定部材の一つである壁下幅木２０が固定された状態である。壁下幅木２０が固定される位置は、洗面側壁パネル１０が立設される位置である。即ち、シャワー室２への出入り口であるドア６が設置された位置と、シャワー室２と洗面室３とを備えた衛生ユニット構造体１への出入り口である入口開口１１の形成位置とを除いた領域である床面端部において、洗面側壁パネル１０を固定するための壁下幅木（パネル固定部材）２０が固定される。
【００４４】
壁下幅木２０には洗面側壁パネル１０を立設するために洗面パネル係止部材（第２室パネル係止部材）２３が取り付けられる。洗面パネル係止部材２３は、洗面側壁パネル１０の下端部分を嵌合して締結して、洗面側壁パネル１０を立設する構成を有する。また、隣接する洗面側壁パネル１０は、壁下幅木２０に立設されたジョイント部２５に対して互いに側部を嵌合させて接合される構成である。
【００４５】
図４Ｂの（ｃ）は、床パネル１６に固定された壁下幅木２０に洗面パネル係止部材２３（図６参照）を設けて、２枚の洗面側壁パネル１０を立設した状態を示している。図４Ｂの（ｄ）は、洗面室３を構成する全ての洗面側壁パネル１０が立設された状態を示している。図４Ｂの（ｅ）は、図４Ｂの（ｄ）に示した状態から洗面天井壁パネル（第２室天井壁パネル）１３が取り付けられた状態を示している。
【００４６】
上記のように、シャワー室２が完成された後、洗面室３が作製されて、洗面室空間（第２室空間）が完成される。即ち、洗面室３の施工工程としては次の工程を含む。
【００４７】
（５）洗面室３の床パネル１６を所望の寸法に切断し、切断された床パネル１６をシャワー室２の床レベルに応じた高さとなるように、複数の支持脚１８により支持させて二重床を作製する。
【００４８】
（６）洗面室３の床パネル１６における所定位置に壁下幅木２０を設置する。
【００４９】
（７）壁下幅木２０に洗面パネル係止部材２３を設けて、洗面側壁パネル１０を立設させる。このとき、洗面側壁パネル１０の下端部分を洗面パネル係止部材２３に嵌合させると共に、隣接する洗面側壁パネル１０をその間に立設した壁スタッドであるジョイント部２５に嵌合して互いに固定する。なお、隣接する洗面側壁パネル１０同士を直接係合させる構成としてもよい。
【００５０】
（８）洗面側壁パネル１０に対して洗面天井壁パネル１３が取り付けられて、洗面室２が完成する。この結果、シャワー室２および洗面室３が完成して、衛生ユニット構造体１は完成する。洗面側壁パネル１０としては、幅寸法が異なる各種形状パターンが予め準備されており、その床パネル１６における立設すべき位置（長さ）に応じて所望の形状パターンが選択される。なお、洗面側壁パネル１０としては、必要に応じて所望の幅寸法に切断して構成することも可能である。
【００５１】
なお、シャワー室２および洗面室３の内部の各種器具は、衛生ユニット構造体１の完成後に設置される。シャワー天井壁パネル１２のシャワー点検口１４、洗面天井壁パネル１３の洗面点検口１５、および床下点検口２９などの開閉可能な開口部分が利用されて各種器具および排管設備が取り付けられる。
【００５２】
上記の施工工程において、（４）および（７）に示したシャワー天井壁パネル１２および洗面天井壁パネル１３の取り付けは、最終工程において同時に行ってもよい。
【００５３】
衛生ユニット構造体１の施工においては、（ａ）シャワー室２の床パン（防水パン）１７の設置、（ｂ）シャワー室２のシャワー側壁パネル９の設置、（ｃ）シャワー室２のドア枠２２の設置（洗面室のレベル基準の決定）、（ｄ）シャワー室２のシャワー天井壁パネル１２の設置、（ｅ）洗面室３の床パネル１６の設置（二重床の設置）、（ｆ）洗面室３の壁下幅木２０の設置、（ｇ）洗面室３の洗面側壁パネル１０の設置、および（ｈ）洗面室３の洗面天井壁パネル１３の設置の順で作製される。なお、（ｄ）のシャワー天井壁パネル１２の設置は（ｈ）の洗面天井壁パネル１３と同工程において設置してもよい。
【００５４】
実施の形態１の衛生ユニット構造体１の施工においては、建築物（住宅）の構造床（スラブ）、構造壁、構造天井で囲まれた設置空間に合わせて最適な寸法を有する洗面室（第２室）３を作製する構成であるため、洗面室３の床パネル１６を所望の形状に切断する工程が含まれる。また、切断した床パネル１６はシャワー室（第１室）２の設置レベルに合わせて設置し、設置された床パネル１６に洗面側壁パネル１０を立設するための壁下幅木２０を所定位置に固定する作業が生じる。このような二重床（床パネル１６および壁下幅木２０を含む）の作製作業は、予め組立部材が準備されているシャワー室２の組立て作業や、洗面室３における洗面側壁パネル１０および洗面天井壁パネル１３の組立て作業とは、作業内容が異なるため施工業者が異なる場合が多い。このため、集合住宅などの建築物において多くの衛生ユニット構造体１を設置する場合には、一方の施工業者がシャワー室２を順次組立てていき、他方の業者が組上がったシャワー室２に隣接して所望の寸法を有する二重床（１６、２０）を設置していく施工となる。二重床の設置が終了した後、シャワー室２の組立てを完成させた施工業者が、二重床の上に予め準備された洗面側壁パネル１０および洗面天井壁パネル１３を組立てる。このように、複数の衛生ユニット構造体１を設置する場合においては、異なる施工業者において効率的に作業を進めることが可能な構造である。
【００５５】
上記のように、実施の形態１の衛生ユニット構造体１の施工においては、建築物（住宅）における設置空間に合わせて最適な寸法を有する洗面室３を作製する構成にもかかわらず、施工が容易であると共に施工時間の大幅な短縮を図ることができる構成となる。
【００５６】
図５は、実施の形態１の衛生ユニット構造体１において、シャワー室２のシャワー側壁パネル９を床パン１７に固定するためのシャワーパネル係止部材２１を示す図である。図５は、シャワー室２の外面の一部を拡大して示している。なお、シャワー室２の外面は、シャワー室２が設置空間内部に設置された後は、ユーザの目に触れることはない。
【００５７】
図５に示すように、隣接するシャワー側壁パネル９の間には壁スタッドとなるジョイント部２４が設けられており、このジョイント部２４により隣接するシャワー側壁パネル９が互いに保持されて立設されている。ジョイント部２４の下端部分にはシャワーパネル係止部材２１のジョイント係止具２１ａが装着されている。ジョイント係止具２１ａは、シャワー室２の床パン（防水パン）１７の外縁部を上方から挟むように固定されている。この結果、シャワー室２のジョイント部２４が、床パン（防水パン）１７に確実に固定されて立設される。なお、ジョイント部２４の直下に配設される支持脚１８は、他の領域に配設された支持脚１８に比べて剛性の高い材料を用いてもよい。
【００５８】
シャワー側壁パネル９の下端部分にはシャワーパネル係止部材２１のパネル係止具２１ｂが装着されている。パネル係止具２１ｂは、シャワー室２の床パン（防水パン）１７の外縁部を上方から挟むように固定されている。また、シャワー側壁パネル９の下端はＵ字形状に屈曲した金属板で形成されており、このＵ字形状部分が床パン（防水パン）１７に内接して保持されている。この結果、シャワー室２のシャワー側壁パネル９は、床パン（防水パン）１７に対して確実に固定された状態で立設される。なお、シャワー側壁パネル９は、防水パンである床パン（防水パン）１７に対して、シャワーパネル係止部材２１およびジョイント部２４を含むパネル固定部材により立設される構成を有している。
【００５９】
図６は、実施の形態１の衛生ユニット構造体１において、洗面室３の洗面側壁パネル１０を床パネル１６上の壁下幅木２０に固定するための洗面パネル係止部材２３を示す図である。図６は、洗面室３の外面の一部を拡大して示している。なお、シャワー室２と同様に、洗面室３の外面は、洗面室３が設置空間内部に設置された後は、ユーザの目に触れることはない。
【００６０】
図６に示すように、隣接する洗面側壁パネル１０の間には壁スタッドとなるジョイント部２５が設けられており、このジョイント部２５により隣接する洗面側壁パネル１０が互いに保持されて立設される。ジョイント部２５の下端部分には洗面パネル係止部材２３のジョイント係止具２３ａが装着される。ジョイント係止具２３ａは、床パネル１６上の壁下幅木２０の上面に一体的に形成された壁載レール２６に上方から載せて挟むように固定されている。壁載レール２６は、上方に突設して長手方向に延設されたレール２６ａを有し、このレール２６ａをジョイント係止具２３ａが挟む構成である。
【００６１】
なお、壁下幅木２０と壁載レール２６は別部品で構成して互いに固定する構成としてもよい。また、壁下幅木２０としては、壁載レール２６のみを有する構成、例えば、逆Ｔ字形状として、床パネル１６上で長手方向に延びる平板の中央に長手方向に延設された板材（レール２６ａ）が突設された構成でもよい。なお、実施の形態１における壁下幅木２０の材質としては、アルミ材を用いているが、本発明においては壁下幅木２０の材質としてアルミ材に特定するものではない。
【００６２】
このように洗面側壁パネル１０が壁下幅木２０の上に載置されて固定され、レール２６ａをジョイント係止具２３ａが挟むことにより、洗面室３のジョイント部２５は、床パネル１６の壁下幅木２０に対して所定位置に確実に固定され立設される。なお、ジョイント部２５の直下に配設される支持脚１８は、他の領域に配設された支持脚１８に比べて剛性の高い材料を用いてもよい。
【００６３】
洗面側壁パネル１０の下端部分には洗面パネル係止部材２３におけるパネル係止具２３ｂが装着されている。パネル係止具２３ｂは、壁下幅木２０の上面に設けられた壁載レール２６に上方から載せて挟むように固定されている。また、洗面側壁パネル１０の下端は、シャワー側壁パネル９の下端と同じ構成を有しており、Ｕ字形状に屈曲した金属板で形成されている。従って、Ｕ字形状部分が壁下幅木２０の上面の壁載レール２６に内接して保持されている。従って、洗面側壁パネル１０は、シャワー側壁パネル９と同様に壁下幅木２０の上面に設けられた壁載レール２６により固定される構造を有する。この結果、洗面室３の洗面側壁パネル１０は、床パネル１６に対して確実に固定された状態となる。
【００６４】
実施の形態１の構成において、洗面側壁パネル１０は、床パネル１６に対して、壁下幅木２０、洗面パネル係止部材２３、ジョイント部２５、壁載レール２６を含むパネル固定部材により立設される構成を有している。
【００６５】
なお、シャワー側壁パネル９および洗面側壁パネル１０の立設構造に関しては、それぞれのパネルが確実に立設する構造であればよく、各種の固定手段を適用することが可能である。本発明においては、少なくとも第１室側壁パネル（シャワー側壁パネル９）および第２室側壁パネル（洗面側壁パネル１０）の下端部分が同様の構造を有するパネル構造であり、第１室側壁パネル（シャワー側壁パネル）が防水パンである床パンから第１室パネル係止部材（シャワーパネル係止部材２１）を用いて立ち上がる構造を有し、そして第２室側壁パネル（洗面側壁パネル１０）が二重床である床パネルから第２室パネル係止部材（洗面パネル係止部材２３）を用いて立ち上がる構造を有するものである。
【００６６】
実施の形態１の構成において、床パネル１６上の壁下幅木２０のコーナー部分（直角部分）における接続は、ユーザに対する安全性を担保するために、コーナー部材（３０、３１）を用いて、壁下幅木２０を直角に接合して配置できる構成を有している。
【００６７】
図７は、凸部コーナー部材３０と凹部コーナー部材３１とを示す斜視図である。図７は洗面室３の内側である洗面室空間側（手前側）からの図である。図７において、左側には直角に折れ曲がった凸部の壁下幅木２０を接合するための凸部コーナー部材３０を示し、右側には直角に折れ曲がった凹部の壁下幅木２０を接合するための凹部コーナー部材３１を示す。図７に示すように、凸部コーナー部材３０と凹部コーナー部材３１のそれぞれには、壁下幅木２０が配置される方向に突出する挿入接合部３０ａ、３１ａが形成されている。実施の形態１における凸部コーナー部材３０と凹部コーナー部材３１は、加工が容易で堅牢な樹脂材を用いて構成した例で説明するが、本発明は樹脂材に限定するものではなく、加工が可能な各種材料が用いられる。
【００６８】
図８は、凸部コーナー部材３０と凹部コーナー部材３１とに対して壁下幅木２０をそれぞれ嵌め込んで接合して固定した状態を示している。図８に示した壁下幅木２０の上には、洗面側壁パネル１０が立設される。図９は壁下幅木２０の断面図であり、長手方向に直交する方向で切断した断面図である。図９に示すように、壁下幅木２０には壁載レール２６が突設された土台部分に空洞部２０ａが形成されている。また、空洞部２０ａの下端には扁平な足部２０ｂが水平方向に突設されており、この足部２０ｂを設けて床パネル１６上に壁下幅木２０が安定して配設される構成となる。
【００６９】
上記のように壁下幅木２０には空洞部２０ａが設けられており、この空洞部２０ａには凸部コーナー部材３０と凹部コーナー部材３１における挿入接合部３０ａ、３１ａが挿入されて接合される。空洞部２０ａの空間形状と挿入接合部３０ａ、３１ａの突出形状が対応する形状であり、挿入接合部３０ａ、３１ａが空洞部２０ａに嵌合するよう構成されている。この結果、壁下幅木２０は直角部分で確実に接合されると共に、直角部分には鋭角なエッジ部分を無くすことができ、洗面室３を利用するユーザに対して安全性の高い構成となる。
【００７０】
図１０は、シャワー室２の床面と洗面室３の床面とを繋ぐ室間接合部材２７を示す図である。室間接合部材２７は、ドア６の下側に配設された部材であり、シャワー室２の床面のレベルＬ１が洗面室３の床面のレベルＬ２より低くなるように、斜行して配設される。このように出入り口であるドア６の下側に室間接合部材２７を設けることにより、シャワー室２から洗面室３への水の流入を防止することができると共に、人の出入りがスムーズになり安全性の高い構成となる。また、シャワー室２と洗面室３との間が確実に一定間隔を常に保持できる構造を確保することができる。
【００７１】
上記のように、第１室であるシャワー室２および第２室である洗面室３の外側である筺体が完成した後、それぞれの室における衛生器具、備品が所定の位置に備えられる。特に重量物の衛生器具を壁に固定する構成の場合、例えば、洗面室３に洗面台７を固定する場合には壁面の壁スタッドとなるジョイント部（２４、２５）に設置することが好ましい。このように洗面台７を設けた場合に、当該洗面台７に大きな負荷が加わったとしても、剛性を有するジョイント部２５において荷重を受け止めることができ、洗面側壁パネル１０の撓みを軽減することが可能となる。
【００７２】
なお、前述の図２の斜視図に示すように、実施の形態１の衛生ユニット構造体１においては、シャワー室２および洗面室３のそれぞれの天井壁パネル（１２、１３）に点検口（１４、１５）が設けられている。シャワー点検口１４は、シャワー天井壁パネル１２におけるシャワー室２への出入り口（ドア６の配設位置）の近傍に設けられている。また、洗面点検口１５は、洗面天井壁パネル１３におけるシャワー室２への出入り口（ドア６の配設位置）の近傍に設けられている。即ち、シャワー点検口１４と洗面点検口１５は、それぞれの天井壁パネル（１２、１３）におけるシャワー室２への出入り口を挟んだ両側に設けられている。このように、シャワー点検口１４および洗面点検口１５を出入り口（ドア６の配設位置）近傍に設けることにより、出入り口には大型の器具が備えられておらず、ある程度の空間が確保されているため、点検口（１４、１５）による保守、管理における作業性がよいものとなる。
【００７３】
上記のように、実施の形態１の衛生ユニット構造体１において、第２室である洗面室３は、その側壁が複数の側壁パネル（１０）が連結されて構成され、天井壁が複数の天井壁パネル（１３）が連結されて構成されている。実施の形態１の衛生ユニット構造体１は、図１および図２に示すように、複数の洗面側壁パネル１０が連結されるジョイント部２５と、複数の洗面天井壁パネル１３を連結するジョイント部２８（図２参照）が対応するように配設されている。即ち、洗面室３における側面壁と天井壁においてジョイント部（２５、２８）が連続するように配設されている。このようにジョイント部（２５、２８）が連続する構成とすることにより、洗面室３のパネル構造の強度がさらに増強され、引いては衛生ユニット構造体１としての高い強度を確保できる構造となる。
【００７４】
以上のように、本発明の衛生ユニット構造体は、実施の形態１において具体的に説明したように、建築物における各種住宅において異なる形状の設置空間に対して、所望のシャワー設備を備える第１室（シャワー室）および第２室（洗面室）を備える住宅設備を提供することができる。従って、本発明によれば、第１室（シャワー室）および第２室（洗面室）を備える衛生ユニット構造体を設置空間に対応して容易に設置することが可能な信頼性の高い設備を提供することができる。
【００７５】
本発明をある程度の詳細さをもって実施の形態において説明したが、実施の形態の開示内容は構成の細部において変化してしかるべきものであり、実施の形態における変形例の要素の置換、組合せ、および順序の変更は請求された本発明の範囲及び思想を逸脱することなく実現し得るものである。
【産業上の利用可能性】
【００７６】
本発明によれば、信頼性の高いシャワー室および洗面室などを備える衛生ユニット構造体を各種住宅に対応した所望形状を有して施工することができるため、住宅設備として有用な衛生ユニット構造体を提供できる。
【符号の説明】
【００７７】
１  衛生ユニット構造体
２  シャワー室（第１室）
３  洗面室（第２室）
４  シャワーヘッド
７  洗面台
９  シャワー側壁パネル（第１室側壁パネル）
１０  洗面側壁パネル（第２室側壁パネル）
１１  入口開口
１２  シャワー天井壁パネル（第１室天井壁パネル）
１３  洗面天井壁パネル（第２室天井壁パネル）
１４  シャワー点検口
１５  洗面点検口
１６  床パネル
１７  床パン（防水パン）
１８  支持脚
２０  壁下幅木
２１シャワーパネル係止部材（第１室パネル係止部材）
２１ａ  ジョイント係止具
２１ｂ  パネル係止具
２２  ドア枠
２３  洗面パネル係止部材（第２室パネル係止部材）
２３ａ  ジョイント係止具
２３ｂ  パネル係止具
２４、２５、２８  ジョイント部
２６  載置レール
２７  室間接合部材
３０  凸部コーナー部材
３１  凹部コーナー部材
【図１】
0006931795.tif 000002
【図２】
0006931795.tif 000003
【図３】
0006931795.tif 000004
【図４Ａ】
0006931795.tif 000005
【図４Ｂ】
0006931795.tif 000006
【図５】
0006931795.tif 000007
【図６】
0006931795.tif 000008
【図７】
0006931795.tif 000009
【図８】
0006931795.tif 000010
【図９】
0006931795.tif 000011
【図１０】
0006931795.tif 000012